(57)【要約】【課題】  以前よりベルト重合部の縫製は、外周を直線状に縫製していたため、ベルトの経糸と平行する個所では縫糸が経糸間にめり込んでしまい縫製部の糸飛びや糸切れなどがないことを製品検査で確認したり、ユーザーによる点検時に確認することが困難であった。【解決手段】  上ベルト１と下ベルト２とを重ねた重合部５を縫製連結するに際し、ベルト経糸３と並行せず縫糸６をジグザグ状に縫製する方法と、柔らかなベルトの場合には、外周を直線状に下縫い７した後、下縫い７した縫製糸をまたぐように縫糸６をジグザグ状に縫製する方法により、経糸３間への沈み込みを防止し、製品検査・ユーザーによる点検を容易にするものである。【選択図】        図１
2006180952.tif 000002
【特許請求の範囲】
【請求項１】
上ベルト１と下ベルト２とを重ねた重合部５を縫製連結するに際し、ベルト１，２の経糸３と並行せずジグザグ状に縫製し、縫糸６の経糸３間への沈み込みを防止したことを特徴とする墜落防止用安全帯の縫製連結パターン。
【請求項２】
上ベルト１と下ベルト２とを重ねた重合部５を縫製連結するに際し、外周を直線状に下縫い７した後、下縫い７した縫製糸をまたぐようにジグザグ状に縫製し、縫糸６の経糸３間への沈み込みを防止したことを特徴とする墜落防止用安全帯の縫製連結パターン。
【発明の詳細な説明】
【技術分野】
【０００１】
本願は高所作業者が墜落防止のために装着する墜落防止用安全帯に係るものであり、特にはハーネス型安全帯の重合部の縫製連結パターンに関するものである。
【背景技術】
【０００２】
以前よりハーネス型安全帯の重合部の縫製連結パターンは、本出願人が開示した特開２００３−１１７０１５号公報の図面に表されているように、重なった形状の外周に沿って直線状に縫製していた。
よって、柔らかいベルトの場合に、ベルトの経糸（タテ糸）に沿って縫製すると、縫糸がベルトの厚みの中に入ってしまい糸が見えなくなる。
上記縫製連結パターンの拡大した図７は、ベルトを斜めに重ねた場合であり、表側の経糸と平行する縫糸と、裏側の経糸と平行する縫糸が沈み込む。
図８は、ベルトを直角に重ねた場合であり、表側の経糸と平行する縫糸と、裏側の経糸と平行する縫糸が沈み込む。
図９は、ベルトを平行に重ねた場合であり、表側と裏側の経糸と平行する縫糸が沈み込む。
なお、上記「外周」とは、ベルトの重合範囲の通常ミシン縫工が可能な最外周位置をいう。
【０００３】
墜落防止用安全帯の縫製部の強度を要求されるものにあっては、縫製部の糸飛びや糸切れなどがないことを製品検査で確認したり、ユーザーによる始業点検・定期点検時に確認する必要がある。
墜落防止用安全帯についての国際規格では、縫製部の点検が容易なように、縫製糸はベルトと異なる色であることが求められている。
しかしながら、上記のように縫製糸がベルトの中に入って見えなくなると正常な検査・点検ができなくなる。
【０００４】
よって、ベルトへの糸の沈み込みを少なくするために、縫製ミシンの上糸と下糸の張力を微妙に調節したり、糸の締りをゆるくする等の処置を行なうが、確実にめり込みを防止することはできないものであった。
【特許文献１】特開２００３−１１７０１５号公報
【発明の開示】
【発明が解決しようとする課題】
【０００５】
墜落防止用ハーネス型安全帯は、肩掛けベルト・股掛けベルトが連続して一体になったもので、落下時の衝撃荷重を全身に分散し、身体局部の損傷が防止できるように胴ベルト型安全帯（胴ベルトだけのもの）に比べてベルトは柔らかなものを使用するため、ベルト同士の連結時に縫製糸が経糸間に入ってしまい製品の検査や、ユーザーによる始業点検・定期点検が容易でなかった。
【課題を解決するための手段】
【０００６】
本願は、ベルト重合部をジグザグ状に縫製し、さらに柔らかいベルトの場合には、直線状の下縫いをし、下縫いした縫製糸をまたぐようにジグザグ状に縫製し、経糸間への沈み込みを防止するものである。
【発明の効果】
【０００７】
以上のようにジグザグ状に縫製することにより、経糸間への沈み込みを防止することができる。よって、従来行なっていた上糸と下糸の微妙な調整や糸の締りを加減する必要がなく、しっかりと縫製できる。また、ミシンの微調整をすることがないので縫製時間も短縮されコストダウンが図れるものである。
【実施例】
【０００８】
本願の実施例を詳記すると、
本願は、墜落防止用ハーネス型安全帯のベルト重合部を縫製連結するに際し、ベルト経糸３と並行せず縫糸６をジグザグ状に縫製連結するものと、柔らかなベルトの場合に、ベルト重合部５の外周を直線状に下縫い７をし、その下縫い７した縫製糸をまたぐように縫糸６をジグザグ状に縫製連結することにより、経糸３間への沈み込みを防止し、製品検査の確認・ユーザーによる始業点検・定期点検が容易にできるものである。
図１は、ベルトを斜めに重合した場合で、縫糸６を一目ごとにジグザグ状に外周を縫製し、肩掛けベルト８と股掛けベルト９が腰横で交差する重合部分や、股掛けベルト９と尻当てベルト10の重合部分の縫製パターンである。
図２は、ベルトを直角に重合した場合で、縫糸６を一目ごとにジグザグ状に外周を縫製し、肩掛けベルト８を股掛けベルト９が腰横で交差する重合部分などの縫製パターンである。
図３は、ベルトを平行に重合した場合で、縫糸６を一目ごとにジグザグ状に緯糸４（ベルト幅）方向に並行して略コ字状に縫製し、バックルやリングの取り付け部分の縫製パターンである。
【０００９】
図４は、柔らかいベルトを斜めに重合した場合で、一度外周を直線状に下縫い７し、その下縫い７した縫製糸をまたぐように、縫糸６を一目ごとにジグザグ状に縫製するものである。
【００１０】
図５は、柔らかいベルトを直角に重合した場合で、一度外周を直線状に下縫い７し、その下縫い７した縫製糸をまたぐように、縫糸６を一目ごとにジグザグ状に縫製するものである。
【００１１】
図６は、柔らかいベルトを平行に重合した場合で、一度外周を直線状に下縫い７し、その下縫い７した縫製糸をまたぐように、縫糸６を一目ごとにジグザグ状に縫製するものである。
以上、柔らかで厚いベルトの場合に、効果のある縫製連結パターンである。
【００１２】
図１０は、ハーネス型安全帯の一例を示す正面図であり、肩掛けベルト８と股掛けベルト９が腰横で交差する重合部分と、股掛けベルト９と尻当てベルト10の重合部分を図１の縫製パターンで縫製し、バックル取付け部は図３の縫製パターンで縫製したものである。
【００１３】
図１１は、従来のハーネス型安全帯の一例を示す正面図であり、肩掛けベルト８と股掛けベルト９が腰横で交差する重合部分と、股掛けベルト９と尻当てベルト10の重合部分は図７の縫製パターンであり、バックル取付け部は図９の縫製パターンで縫製したものである。
【図面の簡単な説明】
【００１４】
【図１】本願のベルトを斜めに重ねた場合の縫製連結パターン図。
【図２】本願のベルトを直角に重ねた場合の縫製連結パターン図。
【図３】本願のベルトを平行に重ねた場合の縫製連結パターン図。
【図４】本願のベルトを斜めに重ね下縫いした場合の縫製連結パターン図。
【図５】本願のベルトを直角に重ね下縫いした場合の縫製連結パターン図。
【図６】本願のベルトを平行に重ね下縫いした場合の縫製連結パターン図。
【図７】従来品のベルトを斜めに重ねた場合の縫製連結パターン図。
【図８】従来品のベルトを直角に重ねた場合の縫製連結パターン図。
【図９】従来品のベルトを平行に重ねた場合の縫製連結パターン図。
【図１０】ハーネス型安全帯の一例を示す正面図。
【図１１】従来のハーネス型安全帯の一例を示す正面図。
【符号の説明】
【００１５】
１    上ベルト
２    下ベルト
３    経糸
４    緯糸
５    重合部
６    縫糸
７    下縫い
８    肩掛けベルト
９    股掛けベルト
10    尻当てベルト
【図１】
2006180952.tif 000003
【図２】
2006180952.tif 000004
【図３】
2006180952.tif 000005
【図４】
2006180952.tif 000006
【図５】
2006180952.tif 000007
【図６】
2006180952.tif 000008
【図７】
2006180952.tif 000009
【図８】
2006180952.tif 000010
【図９】
2006180952.tif 000011
【図１０】
2006180952.tif 000012
【図１１】
2006180952.tif 000013